(57)【要約】【課題】押し込み部分を押し込む場合に、縦置きおよび横置きのいずれの置き方を採用した場合でも、自然な操作フィーリングが得られるツマミ部材およびツマミ連結構造等を提供すること。【解決手段】ユーザが押し込み動作を行う押し込み部分３２を有し、スイッチ部材に面して電気機器内に設置されると共に、該押し込み部分３２の押し込み動作によって支点を基準として押し込み部３２が揺動し、スイッチ部材のオン／オフ切替え動作を行えるツマミ部材１１であり、押し込み部分３２の中心と揺動の支点とを結ぶ直線は、電気機器１の設置面５０の法線に傾斜して設けられている。しかも、この直線は、押し込み部分３２の押し込み方向に垂直であって設置面５０と平行を為す直線に対して傾斜して設けられている。【選択図】　図３
2004078312.tif 000002
【特許請求の範囲】
【請求項１】
ユーザが押し込み動作を行う押し込み部分を有し、スイッチ部材に面して電気機器内に設置されると共に、該押し込み部分の押し込み動作によって支点を基準として上記押し込み部分が揺動し、上記スイッチ部材のオン／オフ切替え動作を行えるツマミ部材において、
上記押し込み部分の中心と上記支点とを結ぶ直線は、上記電気機器の設置面の法線に傾斜して設けられ、かつ上記押し込み部分の押し込み方向に垂直であって上記設置面と平行を為す直線に対して傾斜して設けられていることを特徴とするツマミ部材。
【請求項２】
ユーザが押し込み動作を行う押し込み部分を有し、スイッチ部材に面して電気機器内に設置されると共に、該押し込み部分の押し込み動作によって支点を基準として上記押し込み部分が揺動し、上記スイッチ部材のオン／オフ切替え動作を行えるツマミ部材において、
上記押し込み部分の中心と上記支点とを結ぶ直線は、上記電気機器の設置面の法線に傾斜して設けられ、かつ上記電気機器のパネル面に対して平行であることを特徴とするツマミ部材。
【請求項３】
前記直線の前記設置面に対する傾斜角度は、４５度±２度の範囲に設けられていることを特徴とする請求項１または２記載のツマミ部材。
【請求項４】
前記本体部のうち前記押し込み部分が設けられている側とは反対側には、スイッチ当接部が設けられていることを特徴とする請求項１から３のいずれか１項に記載のツマミ部材。
【請求項５】
請求項１から４のいずれか１項に記載のツマミ部材が特定の方向に向かって複数個配置されているツマミ連結構造であり、さらに、
上記特定の方向に長手を有する基部と、
上記基部の長手方向に対し、少なくとも一方の辺が傾斜して設けられていると共に、上記ツマミ部材が上記基部の長手方向に対して傾斜するように上記一方の辺に取り付けられている台座部と、
を具備することを特徴とするツマミ部材を有するツマミ連結構造。
【請求項６】
請求項１から４のいずれか１項に記載のツマミ部材を用いたことを特徴とする電気機器。
【請求項７】
請求項５記載のツマミ部材を有するツマミ連結構造を用いたことを特徴とする電気機器。
【発明の詳細な説明】
【０００１】
【発明の属する技術分野】
本発明は、ツマミ部材、ツマミ部材を有するツマミ連結構造およびこれらを用いた電気機器に関する。
【０００２】
【従来の技術】
オーディオやビデオ等といった、各種電気機器は、種々の操作ボタン（押しボタン）を備えている。操作ボタンの中には、ヒンジ部分を介して所定角度だけ回動することで、スイッチ（タクトスイッチ）の切替えが為されるものがある。押しボタンは、ヒンジの付け根部分を支点として回動するため、該押しボタンを押すと、上下方向（縦方向）または左右方向（横方向）のいずれかの方向にずれて行く。この場合、横方向に押しボタンがずれるより、縦方向にずれる方が、ユーザの操作フィーリングが自然であり、ほとんどの機器で縦方向にずれる形式が採用されている。
【０００３】
このような操作ボタンが、オーディオ装置に用いられている例を、図１２および図１３に示す。このオーディオ装置１００は、内部にツマミ連結構造１０１を有していて、このツマミ連結構造１０１に複数の押しボタンとなるツマミ部材１０２が取り付けられている。ツマミ部材１０２の表側に配置されるボタン部１０３は、操作パネル１０４の表面に露出している。また、ツマミ部材１０２の裏側には、オン／オフ操作が切り替えられるタクトスイッチ１０５にぶつかるスイッチ当接部１０６が設けられている。また、ツマミ部材１０２には、撓み変形するヒンジ部１０７が設けられている。
【０００４】
この図１２，１３に示すオーディオ装置１００では、ツマミ連結構造１０１は、オーディオ装置１００の長手と同じ方向に長手を有した状態となっている。また、図１２に示すように、オーディオ装置１００を横置きにした場合、ツマミ部材１０２はツマミ連結構造１０１の長手方向から垂直方向（上下方向）となり、該ツマミ部材１０２を押すと、その位置が上下方向にずれるように延出している。このため、図１２，１３に示すオーディオ装置１００は、横置き重視の構成である、といえる。なお、オーディオ装置１００を縦置き重視の構成としたい場合は、横置き重視の場合と同様に、オーディオ装置１００を縦置きとした場合に、ツマミが上下方向にずれるように設計すればよい。
【０００５】
【発明が解決しようとする課題】
上述したように、現在市販されている一般のオーディオ装置は、縦置きまたは横置きのいずれか一方を重視した構成となっている。ここで、近年は、横置きまたは縦置きのいずれの置き方も可能なオーディオ装置も、一般的なものとなっている。このため、例えば横置き重視のオーディオ装置を縦置きにした場合には、図１３に示すように、ツマミ部材が左右方向にずれる。この左右方向へのずれは、ユーザの操作時の指の動作方向とは異なる方向となるため、ユーザの操作フィーリングが不自然なものとなる。すなわち、ユーザの操作感触が悪いものとなる。
【０００６】
本発明は、上記の事情に基づきなされたもので、その目的とするところは、押し込み部分を押し込む場合に、縦置きおよび横置きのいずれの置き方を採用した場合でも、自然な操作フィーリングが得られるツマミ部材、ツマミ部材を有するツマミ連結構造およびツマミ構造を用いた電気機器を提供しよう、とするものである。
【０００７】
【課題を解決するための手段】
上述の目的を達成するため、本発明のツマミ部材は、ユーザが押し込み動作を行う押し込み部分を有し、スイッチ部材に面して電気機器内に設置されると共に、該押し込み部分の押し込み動作によって支点を基準として押し込み部分が揺動し、スイッチ部材のオン／オフ切替え動作を行えるツマミ部材において、押し込み部分の中心と支点とを結ぶ直線は、電気機器の設置面の法線に傾斜して設けられ、かつ押し込み部分の押し込み方向に垂直であって設置面と平行を為す直線に対して傾斜して設けられているものである。
【０００８】
また、他の発明は、ユーザが押し込み動作を行う押し込み部分を有し、スイッチ部材に面して電気機器内に設置されると共に、該押し込み部分の押し込み動作によって支点を基準として押し込み部分が揺動し、スイッチ部材のオン／オフ切替え動作を行えるツマミ部材において、押し込み部分の中心と支点とを結ぶ直線は、電気機器の設置面の法線に傾斜して設けられ、かつ電気機器のパネル面に対して平行であることとしたものである。
【０００９】
さらに、他の発明は、上述の各発明に加えてさらに、直線の設置面に対する傾斜角度は、４５度±２度に設けられているものである。
【００１０】
また、他の発明は、上述の発明に加えてさらに、本体部のうち押し込み部分が設けられている側とは反対側には、スイッチ当接部が設けられているものである。
【００１１】
さらに、他の発明は、上述の各発明に係るツマミ部材が特定の方向に向かって複数個配置されているツマミ連結構造であり、さらに、特定の方向に長手を有する基部と、基部の長手方向に対し、少なくとも一方の辺が傾斜して設けられていると共に、ツマミ部材が基部の長手方向に対して傾斜するように一方の辺に取り付けられている台座部と、を具備するものである。
【００１２】
また、他の発明は、上述のツマミ部材の各発明を、電気機器に用いたものである。
【００１３】
さらに、他の発明は、上述のツマミ部材を有するツマミ連結構造の各発明を、電気機器に用いたものである。
【００１４】
【発明の実施の形態】
以下、本発明の一実施の形態について、図１から図８に基づいて説明する。
図１は、本発明の一実施の形態に係る複数のツマミ部材１１を有するツマミ連結構造１０を用いた、電気機器の一種としてのオーディオ装置１の、操作パネル２の裏面側を示すものである。また、図２は、オーディオ装置１の操作パネル２の正面側を示すものである。
【００１５】
このオーディオ装置１は、操作パネル２にＣＤ（Ｃｏｍｐａｃｔ　Ｄｉｓｃ）やＤＶＤ（Ｄｉｇｉｔａｌ　Ｖｅｒａｔｉｌｅ　Ｄｉｓｃ）等のディスクを挿入可能なディスク挿入口３が形成されている。また、操作パネル２には、図１においてディスク挿入口３の下方に、横方向に向かって一列に複数のボタン露出孔４（図２参照）が形成されている。このボタン露出孔４から、後述するツマミ部材１１のボタン部３２が露出するように、操作パネル２に対してツマミ連結構造１０が取り付けられる。
【００１６】
ツマミ連結構造１０は、図１および図３に示すように、基部材２０と、ツマミ部材１１とから構成されている。このうち、基部材２０は、取付部２１と、長尺状部２２と、ツマミ台座部２３とから構成されている。取付部２１は、操作パネル２の裏面側への取り付けを為す部分であり、例えば取付部２１に存するボス２４がパッチン方式で、操作パネル２の裏面に形成された不図示の嵌め込み孔に嵌め込まれることにより取り付けられる。
【００１７】
また、ツマミ連結構造１０は、操作パネル２の裏面に、基部材２０の長手が操作パネル２の長手と同じ方向となるように取付固定される。それにより、夫々の操作ボタン４０（図２、図４、図５参照）を構成する、押し込み部分としてのボタン部３２が、ボタン露出孔４から該ツマミ連結構造１０が設けられている操作パネル２の裏面側とは逆の手前側に向かい、突出する構成となる。また、かかる取り付けにより、ツマミ部材１１は、操作パネル２の長手方向（基部材２０の長手方向）に対し、４５度を為す状態で、ディスク差込口３から離間する方向を向いて延伸する。
【００１８】
なお、かかる取付部２１は、操作パネル２の大きさや形状に応じて、どのような形態であっても良い。図１、図３に示すものでは、ディスク差込口３の図面中の左側の側方に、板状部材にボス２４が設けられた形態で１箇所、ディスク差込口３の右側下方に同じく板状部材にボス２４が設けられた形態で１箇所、さらに、それぞれのツマミ台座部２３にボス２４が存する形態で複数設けられている。また、操作パネル２へのツマミ連結構造１０の取り付けは、パッチン方式に限られるものではなく、例えばネジを用いたり、接着剤を用いる取付方法であっても良い。
【００１９】
また、基部材２０とツマミ部材１１とが為す角度は４５度に限られるものではなく、該基部材２０の長手に対して斜めとなる所定角度であれば、どのような角度であっても良い。例えば、基部材２０とツマミ部材１１とが為す角度は、縦置きと横置きの操作感を考慮した場合、１５度〜７５度の範囲、好ましくは３０度〜６０度の範囲、より好ましくは４０度〜５０度の範囲、さらに好ましくは４５度±２度の範囲とすることが可能である。また、これらの値は、装置の主たる置き方、ボタン部３２の位置ずれ量等によっても決定することができる。
【００２０】
なお、本質的には、基部材２０との関係ではなく、ヒンジ部３１とオーディオ装置１の設置面５０（図７参照）との関係が重要であり、基部材２０の長手に対して斜めとなる場合については、次の条件を満たせばよい。すなわち、図７に示すように、オーディオ装置１が縦置きまたは横置きといった具合に設置される設置面５０を考えると、押し込み部分であるボタン部３２の中心と、ヒンジ部３１の中心に存する支点とを結ぶ直線ｐが、該設置面５０の法線ｑに対して傾斜して設けられることが重要である。傾斜角としては、４５度が最も好ましい。
【００２１】
加えて、直線ｐは、押し込み部分であるボタン部３２の押し込み方向に垂直であって、しかも設置面５０と平行を為す直線ｒに対して、４５度といった具合に傾斜して設けられる。この傾斜の状態の一例を、図８に示す。図８では、操作パネル２のパネル面に対してツマミ部材１１が平行となっている。また、パネル面は、設置面５０に対して傾斜している。そして、直線ｐは、法線ｑに対して傾斜していると共に、直線ｒに対しても傾斜している。なお、傾斜しているとは、平行状態や垂直状態を除くものである。
【００２２】
なお、直線ｐ、法線ｑ、および直線ｒは、図７および図８においては、矢印方向に向かう直線であるが、この矢印方向は逆向きであっても良い。また、押し込み方向は、本実施の形態では、操作パネル２のパネル面（基板部３０）の法線となっているが、上述の条件を満たす限り、押し込み方向はパネル面（基板部３０）の法線と傾斜していても良い。
【００２３】
また、基部材２０のツマミ台座部２３は、ツマミ部材１１を取り付ける台座部としての機能も有している。ツマミ台座部２３は、その平面形状が略二等辺三角形（本実施の形態では、略直角二等辺三角形）を為すように形成されている。そして、二等辺三角形のツマミ台座部２３の一方の辺２３ａに、ツマミ部材１１が一体的に設けられている。このツマミ部材１１は、該二等辺三角形の一方の辺２３ａ（図３参照）に対して、略垂直を為すように延出する。それにより、全てのツマミ部材１１が互いに略平行に配置される。なお、ツマミ台座部２３は、二等辺三角形ではなく、単なる三角形としても良い。さらには、台形、半円形等、他の形状としても良い。
【００２４】
しかも、ツマミ部材１１は、本実施の形態では、長尺状部２２（操作パネル２）の長手方向に沿って、並列に配置されている。なお、ツマミ部材１１の配置は並列に限られるものではなく、ジグザグ状等、種々の配置が可能である。
【００２５】
このツマミ部材１１は、板状かつ略矩形状の本体部としての基板部３０を有している。そして、この基板部３０が、ヒンジ部３１を介してツマミ台座部２３と一体的に設けられている。ヒンジ部３１は、基板部３０よりも肉厚の薄い薄肉部を有する部分であり、撓み変形しやすい部分となっている。この実施の形態では、ヒンジ部３１に、細い直線状（スリット状）の薄肉部３１ａが２箇所形成されている。なお、本体部は、基板部３０のような基板状のものには限られず、ヒンジ部３１を介して接続されているものであれば、どのようなものであっても良い。
【００２６】
また、基板部３０には、ボタン部３２が設けられている。ボタン部３２は、ボタン露出孔４から操作パネル２の手前側に飛び出す（露出する）部分であり、かかる露出によって、ユーザはボタン操作（押し込み動作）が可能となる。なお、通常は、基板部３０のうち、ボタン部３２の裏面を窪ませて形成している。
【００２７】
なお、ヒンジ部３１のうち、ツマミ台座部２３の付け根側であって中心線（直線ｐ）に沿う位置が、ツマミ部材１１の変形の際における支点となる。
【００２８】
また、図１および図３に示すように、ツマミ部材１１の基板部３０には、スイッチ当接部３３が設けられている。スイッチ当接部３３は、基板部３０のうち、ボタン部３２が設けられている側と反対側の面に突出形成されている。そして、ツマミ連結構造１０が操作パネル２の裏面側に取り付けられた後に、ボタン部３２が押し込まれると、スイッチ当接部３３が、スイッチ部材としてのタクトスイッチ４１にぶつかり、該タクトスイッチ４１のオン／オフ作動を切替えるものとなる。
【００２９】
以上のような構成を有するツマミ部材１１、ツマミ部材１１を有するツマミ連結構造１０およびこれらを用いたオーディオ装置１等の電気機器によれば、横置き状態で水平方向に設置される操作パネル２に対して、ツマミ部材１１が４５度を為すように傾斜して取り付けられている。換言すれば、ヒンジ部３１とボタン部３２を結ぶ線が、電気機器の設置面５０に対して４５度を為す、斜めに配置されている。このため、図５に示すような縦置き、または図４に示すような横置きのいずれの置き方をオーディオ装置１が採用しても、ツマミ部材１１に相当する直線ｐが設置面５０（図７参照）の法線ｑに対して、例えば４５度という具合に、斜めをなす状態となる。しかも、直線ｐが、ボタン部３２の押し込み方向に垂直でありかつ設置面５０と平行を為す直線ｒに対して、４５度という具合に、斜めをなす状態となる。
【００３０】
そのため、ユーザがボタン部３２を指で押すと、ボタン部３２は斜め４５度方向にずれる。それによって、ユーザはオーディオ装置１を縦置きにした場合でも、横置きにした場合でも、同一のボタン感触を得ることが可能となる。また、ボタン部３２を押したとき、従来のように上下にずれる感覚も得ることとなる。このため、ユーザの操作フィーリングが自然なものとなる。すなわち、オーディオ装置１といった電気機器において、横置き重視または縦置き重視といった設置の際の方向性がなくなると共に、従来の操作感覚に似た感覚を得ることができる。
【００３１】
また、斜め方向にボタン部３２がずれる場合、上下方向（縦方向）または左右方向（横方向）のいずれかのみにボタン部３２がずれる場合と比較して、ボタン部３２のずれによる、上下方向や左右方向の移動距離を小さくすることができる。すなわち、斜めにボタン部３２がずれる場合は、その移動距離が上下方向成分と左右方向成分とに分けられる。そのため、それぞれ上下方向および左右方向における移動距離は、上下方向または左右方向のいずれかのみにボタン部３２がずれる場合の上下方向の移動距離や左右方向の移動距離よりも小さくなる。このように、上下方向や左右方向の移動距離を小さくすることによっても、ユーザの操作フィーリングを自然にすることを可能としている。
【００３２】
さらに、斜めにツマミ部材１１が配置されたツマミ連結構造１０においては、従来の同一ピッチでツマミ部材１１が配置されたツマミ連結よりも、各ツマミ部材１１間の距離を広げることが可能となる。すなわち、図６の下方に示されている従来のツマミ連結構造１０１において、それぞれのツマミ部材１０２の付け根部分のうち、例えば左側のｘ点，ｙ点を基準とし、この基準点ｘ，ｙ点を中心としてツマミ部材１０２を斜め方向に４５度回転させる。すると、図６の上方に示されている、本実施の形態のようなツマミ部材１１が斜めに配置された状態とする。
【００３３】
この状態において、一方のツマミ部材１１，１０２の右側の付け根ｚ点と他方のツマミ部材１１，１０２の左側の付け根ｙ点の間の距離を考える。従来のツマミ連結構造１０１でのｙ−ｚ間の距離をｂ，本実施の形態に係るツマミ連結構造１０でのｙ−ｚ間の距離をａとすると、この図６から明らかなように、ａ＞ｂとなっている。
【００３４】
すなわち、同一ピッチでツマミ部材１１，１０２が配置されたツマミ連結構造１０，１０１においては、隣り合うヒンジ部３１の付け根部分の距離は、本実施の形態のツマミ連結構造１０の方が、従来のツマミ連結構造１０１よりも広がることとなる。このように、ヒンジ部３１の付け根部分の距離を広げることで、一方のツマミ部材１１のボタン部３２を押した場合に他方のツマミ部３２も連動するといった、いわゆる「ツマミの共働き」を防止することが可能となる。
【００３５】
なお、図６では、ヒンジ部３１の付け根部分ｙ−ｚの距離を考えている。しかしながら、本実施の形態のツマミ連結構造１０では、図６から明らかなように、長尺状部２２に沿う方向においても、一方のツマミ部材１１の右側の付け根ｚ点と、他方のツマミ部材１１の左側の付け根ｙ点とが、離間したものとなっている。
【００３６】
また、「ツマミの共働き」を防止する構成となっていることから、本実施の形態のツマミ連結構造１０、ツマミ部材１１は、強度的にも高い構成となり、長寿命なものとなる。なお、図６では、ヒンジ部３１の構造を中央に矩形の孔３１ｂを形成したものとしている。このようなヒンジ部３１でも、良好な撓み性を得ることができる。
【００３７】
さらに、ツマミ連結構造１０では、略二等辺三角形状のツマミ台座部２３を介して、長尺状部２２にツマミ部材１１を取り付けている。かかるツマミ台座部２３を用いることにより、上述のように一方のツマミ部材１１の右側の付け根ｚ点と、他方のツマミ部材１１の左側の付け根ｙ点とは斜め方向に離間され、ｙ−ｚ間の距離を長くすることができる。このように、ツマミ台座部２３を介してツマミ部材１１を取り付けることによっても、ツマミの共働きを防止することができ、強度の高い構成とすることができる。
【００３８】
また、例えばツマミ連結構造１０を金型により製作する場合に、本実施の形態のツマミ連結構造１０とすることで、不良の発生を抑えることが可能となる。すなわち、金型のキャビティ内部においても、該金型のツマミ部材１１に相当する空間が、該金型の長尺状部２２に相当する空間に対して斜めに配置されることになる。
【００３９】
このため、例えば金型のキャビティ内部の長尺状部２２に相当する空間を、図３のツマミ連結構造１０において左側（一端側）から右側（他端側）に向かって樹脂（湯）が流れる場合、従来のような構成、すなわち長尺状部に相当する空間にツマミ部材に相当する空間が垂直に配置されているツマミ連結構造１０１の製作と比較して、該樹脂がツマミ部材１１に流れ込み易くなる。そのため、例えばツマミ部材１１の先端側に樹脂が行き渡らないことによる、不良が発生するのを防止することができる。
【００４０】
以上、本発明の一実施の形態について述べたが、本発明はこれ以外にも種々変形可能となっている。以下、それについて述べる。上述の実施の形態では、ツマミ部材１１のヒンジ部３１は、肉厚が基板部３０よりも薄い直線状の薄肉部３１ａを有するものである。しかしながら、ヒンジ部３１は薄肉部３１ａに限られるものではなく、図６に示すような孔３１ｂを配置したり、例えば図９に示すツマミ部材６０のように、ヒンジ部６１の全体を薄肉部としても良い。
【００４１】
また、図１０に示すツマミ部材７０のように、薄肉部とされたヒンジ部７１の一部（好ましくは中心部分）に貫通孔等の切り欠いた部分（切り抜いた部分）である切り欠き部を形成して幅狭部７１ａ，７１ａを設け、この幅狭部の撓みによってツマミ部材７０が押し込みに対応した撓み変形を行うものとしても良い。なお、この図１０に示すツマミ部材７０のヒンジ部７１は、図９のヒンジ部６１と図６に示すヒンジ部３７とを組み合わせたものである。
【００４２】
また、図１１に示すツマミ部材８０のように、ヒンジ部８１として、基板部３０の根元側の側方を支持する回動軸８２を設け、この回動軸８２を中心として基板部３０が回動する構成としても良い。
【００４３】
さらに、上述の実施の形態では、電気機器の一種としてオーディオ装置にツマミ連結構造１０およびツマミ部材１１が適用された場合について述べたが、電気機器はオーディ装置１には限られず、例えばパーソナルコンピュータ（パソコン）、ビデオデッキ、無線機、ナビゲーション装置、デジタルカメラ、デジタルビデオカメラ等、種々の電気機器に本発明を適用することが可能である。
【００４４】
また、上述の実施の形態では、複数のツマミ部材１１を有するツマミ連結構造１０について説明したが、ツマミ部材１１をツマミ連結構造１０から切り離し、単独で用いるようにしても良い。
【００４５】
以上のように、設置面５０の法線ｑに対する直線ｐの傾きは、４５度がベストであり、４５度±２度であれば横置きと縦置きの両者では、操作性がほとんど同一となる。しかし、３０度〜６０度の範囲であれば、従来構造と比較してきわめて自然な操作感を得ることができる。さらに、その角度を１５度〜７５度の範囲としても、従来のような不自然感をかなり減少させることができる。
【００４６】
また、上述の実施の形態では、長尺状部２２に対して、ツマミ部材１１が傾斜して取り付けられている例を示したが、上述のように本質的にはツマミ部材１１と設置面５０が傾斜すれば良い。しかも、直線ｐは、直線ｒに対して、４５度といった具合に傾斜して設けられていれば良い。このため、例えば長尺状部２２を操作パネル２のパネル面に平行かつ設置面５０に対して４５度に傾斜するように形成すれば、その長尺状部２２からツマミ部材１１を垂直かつパネル面に平行に設けることで、設置面５０に対してツマミ部材１１が傾斜することとなる。このような構成としても良い。
【００４７】
【発明の効果】
本発明によれば、押し込み部分を押し込む場合に、縦置きおよび横置きのいずれの置き方を採用した場合でも、自然な操作フィーリングを得ることができる。
【図面の簡単な説明】
【図１】本発明の一実施の形態に係るオーディオ装置の操作パネルを裏面側から見た状態を示す平面図である。
【図２】図１の操作パネルを正面側から見た状態を示す背面図である。
【図３】図１の操作パネルに取り付けられるツマミ連結構造を裏面側から見た背面図である。
【図４】図３に示すツマミ連結構造を用いたオーディオ装置を示すものであり、このオーディオ装置が横置きに設置された状態を示す斜視図であって、ツマミ部材の配置を示すために部分的に切り欠いて示した図である。
【図５】図３に示すツマミ連結構造を用いたオーディオ装置を示すものであり、このオーディオ装置が縦置きに設置された状態を示す斜視図であって、ツマミ部材の配置を示すために部分的に切り欠いて示した図である。
【図６】図３や図４に示すツマミ連結構造のヒンジ部の付け根部分の距離と、従来のツマミ連結構造のヒンジ部の付け根部分の距離とを比較するための部分正面図である。
【図７】図１や図４に示すオーディオ装置に適用されるツマミ連結構造において、直線ｐと法線ｑおよび直線ｒの関係を示すものであり、直線ｐが法線ｑに対して傾斜して設けられていると共に、直線ｐが直線ｒに対して傾斜して設けられている状態を示すものである。
【図８】図１や図４に示すオーディオ装置において、操作パネルおよびツマミ部材が設置面に対して傾斜していると共に、ツマミ部材が直線ｒに対して傾斜している状態を示すものである。
【図９】図３や図４に示すツマミ連結構造のツマミ部材のヒンジ部の変形例を示すものであり、ヒンジ部全体が薄肉に形成されたものを示す平面図である。
【図１０】図３や図４に示すツマミ連結構造のツマミ部材のヒンジ部の他の変形例を示すものであり、薄肉状のヒンジ部の中央に貫通孔が形成されて、該ヒンジ部に幅狭部が形成されているものを示す図である。
【図１１】図３や図４に示すツマミ連結構造のツマミ部材のヒンジ部のさらに他の変形例を示すものであり、ヒンジ部に回動軸が設けられ、この回動軸を中心として基板部が回動する構成を示す図である。
【図１２】従来のツマミ構造を用いたオーディオ装置を示すものであり、このオーディオ装置が横置きに設置された状態を示す斜視図であって、ツマミ部材の配置を示すために部分的に切り欠いて示した図である。
【図１３】従来のツマミ構造を用いたオーディオ装置を示すものであり、このオーディオ装置が縦置きに設置された状態を示す斜視図であって、ツマミ部材の配置を示すために部分的に切り欠いて示した図である。
【符号の説明】
１…オーディオ装置
２…操作パネル
３…ディスク挿入口
４…ボタン露出孔
１０…ツマミ連結構造
１１…ツマミ部材
２０…基部材
２１…取付部
２２…長尺状部
２３…ツマミ台座部（台座部）
２４…ボス
３０…基板部
３１…ヒンジ部
３２…ボタン部（押し込み部分）
３３…スイッチ当接部
４０…操作ボタン
４１…タクトスイッチ（スイッチ部材）
５０…設置面
【図１】
2004078312.tif 000003
【図２】
2004078312.tif 000004
【図３】
2004078312.tif 000005
【図４】
2004078312.tif 000006
【図５】
2004078312.tif 000007
【図６】
2004078312.tif 000008
【図７】
2004078312.tif 000009
【図８】
2004078312.tif 000010
【図９】
2004078312.tif 000011
【図１０】
2004078312.tif 000012
【図１１】
2004078312.tif 000013
【図１２】
2004078312.tif 000014
【図１３】
2004078312.tif 000015